(57)【要約】  ワイヤレス通信のための方法、装置、およびコンピュータプログラム製品が提供される。装置は、市民ブロードバンド無線サービス(CBRS)帯域について、時分割複信(TDD)構成選好を受信し得る。装置は、TDD構成選好に少なくとも部分的に基づいて、複数の可能なTDD構成からTDD構成を選択することができる。装置は、選択されたTDD構成を識別する選択情報を送信することができる。
2020529769.tif 000002
【特許請求の範囲】
【請求項１】
ワイヤレス通信の方法であって、
市民ブロードバンド無線サービス(CBRS)帯域向けのネットワーク管理デバイスによって、時分割複信(TDD)構成選好を受信するステップと、
前記ネットワーク管理デバイスによって、および前記TDD構成選好に少なくとも部分的に基づいて、複数の可能なTDD構成から1つのTDD構成を選択するステップと、
前記ネットワーク管理デバイスによって、前記選択されたTDD構成を識別する選択情報を送信するステップと
を含む方法。
【請求項２】
前記複数の可能なTDD構成は複数のアップリンクダウンリンク構成を含む、請求項1に記載の方法。
【請求項３】
前記複数のアップリンクダウンリンク構成は、3GPP TS 36.211アップリンクダウンリンク(UL-DL)構成0、1、および2を含む、請求項2に記載の方法。
【請求項４】
前記TDD構成選好のうちの1つのTDD構成選好は、スペクトルアクセスシステム(SAS)登録または共存マネージャ(CxM)登録中に登録メッセージのパラメータを介して受信される、請求項1に記載の方法。
【請求項５】
前記TDD構成選好の各TDD構成選好は、共通のTDD構成を識別し、
前記選択されたTDD構成は前記共通のTDD構成である、請求項1に記載の方法。
【請求項６】
前記TDD構成選好のうちの2つ以上のTDD構成選好は、共通のTDD構成を識別せず、
前記選択されたTDD構成は妥協TDD構成である、請求項1に記載の方法。
【請求項７】
前記妥協TDD構成は、前記TDD構成選好のアップリンク/ダウンリンク(UL:DL)比の平均に少なくとも部分的に基づいて判断される、請求項6に記載の方法。
【請求項８】
前記妥協TDD構成は、前記複数の可能なTDD構成のうちの、前記平均に最も近いUL:DL比に関連付けられる、請求項7に記載の方法。
【請求項９】
前記平均は、市民ブロードバンドサービスデバイス(CBSD)ベースまたはネットワークベースで判断される、請求項7に記載の方法。
【請求項１０】
前記選択情報は、
市民ブロードバンドサービスデバイス(CBSD)用の第1の1次チャネル割振りに関連付けられた前記妥協TDD構成と、
前記複数の可能なTDD構成のうちの1つのTDD構成選好であって、前記CBSD用の第2の1次チャネル割振りに関連付けられた、前記CBSDによって最初に示され、かつ前記TDD構成選好に少なくとも部分的に基づいて判断された、1つのTDD構成選好と
を識別し、
前記第2の1次チャネル割振りは、ガード帯域割振りと、前記第1の1次チャネル割振りの送信電力に対する送信電力削減とに関連付けられる、請求項6に記載の方法。
【請求項１１】
前記選択されたTDD構成はTDD共存構成である、請求項1に記載の方法。
【請求項１２】
1次チャネルは、TDD構成を識別する応答情報に少なくとも部分的に基づいて、前記CBRS帯域の市民ブロードバンドサービスデバイス(CBSD)に割り当てられ、
前記応答情報は、前記選択情報への応答として受信される、請求項1に記載の方法。
【請求項１３】
前記CBRS帯域の市民ブロードバンドサービスデバイス(CBSD)に割り当てられた1次チャネルについての送信電力削減は、前記TDD構成選好と、同一チャネル割振りを有するCBSDとの有害な干渉を避けるための分離メトリックとに少なくとも部分的に基づいて判断される、請求項1に記載の方法。
【請求項１４】
前記CBRS帯域の、市民ブロードバンドサービスデバイス(CBSD)に割り当てられた1次チャネル用のガード帯域は、
前記TDD構成選好と、
前記CBSD用の1次チャネル周波数ブロック割当て、他のCBSDの1次チャネル周波数ブロック割当て、有害な隣接チャネル干渉を避けるためのガード帯域メトリック、分離メトリック、または送信電力削減のうちの少なくとも1つと
に少なくとも部分的に基づいて判断される、請求項1に記載の方法。
【請求項１５】
ワイヤレス通信のための装置であって、
メモリと、
前記メモリに結合された少なくとも1つのプロセッサと
を備え、前記メモリおよび前記少なくとも1つのプロセッサは、
市民ブロードバンド無線サービス(CBRS)帯域について、時分割複信(TDD)構成選好を受信し、
前記TDD構成選好に少なくとも部分的に基づいて、複数の可能なTDD構成から1つのTDD構成を選択し、
前記選択されたTDD構成を識別する選択情報を送信する
ように構成される、装置。
【請求項１６】
前記複数の可能なTDD構成は複数のアップリンクダウンリンク構成を含む、請求項15に記載の装置。
【請求項１７】
前記複数のアップリンクダウンリンク構成は、3GPP TS 36.211アップリンクダウンリンク(UL-DL)構成0、1、および2を含む、請求項16に記載の装置。
【請求項１８】
前記TDD構成選好のうちの1つのTDD構成選好は、スペクトルアクセスシステム(SAS)登録または共存マネージャ(CxM)登録中に登録メッセージのパラメータを介して受信される、請求項15に記載の装置。
【請求項１９】
前記TDD構成選好の各TDD構成選好は、共通のTDD構成を識別し、
前記選択されたTDD構成は前記共通のTDD構成である、請求項15に記載の装置。
【請求項２０】
前記TDD構成選好のうちの2つ以上のTDD構成選好は、共通のTDD構成を識別せず、
前記選択されたTDD構成は妥協TDD構成である、請求項15に記載の装置。
【請求項２１】
前記妥協TDD構成は、前記TDD構成選好のアップリンク/ダウンリンク(UL:DL)比の平均に少なくとも部分的に基づいて判断される、請求項20に記載の装置。
【請求項２２】
前記妥協TDD構成は、前記複数の可能なTDD構成のうちの、前記平均に最も近いUL:DL比に関連付けられる、請求項21に記載の装置。
【請求項２３】
前記選択情報は、
市民ブロードバンドサービスデバイス(CBSD)用の第1の1次チャネル割振りに関連付けられた前記妥協TDD構成と、
前記複数の可能なTDD構成のうちの1つのTDD構成選好であって、前記CBSD用の第2の1次チャネル割振りに関連付けられた、前記CBSDによって最初に示され、かつ前記TDD構成選好に少なくとも部分的に基づいて判断された、1つのTDD構成選好と
を識別し、
前記第2の1次チャネル割振りは、ガード帯域割振りと、前記第1の1次チャネル割振りの送信電力に対する送信電力削減とに関連付けられる、請求項20に記載の装置。
【請求項２４】
前記CBRS帯域の、市民ブロードバンドサービスデバイス(CBSD)に割り当てられた1次チャネル用のガード帯域は、
前記選択されたTDD構成と、
前記CBSD用の1次チャネル周波数ブロック割当て、他のCBSDの1次チャネル周波数ブロック割当て、ガード帯域メトリック、分離メトリック、または送信電力削減のうちの少なくとも1つと
に少なくとも部分的に基づいて判断される、請求項15に記載の装置。
【請求項２５】
ワイヤレス通信のための装置であって、
市民ブロードバンド無線サービス(CBRS)帯域について、時分割複信(TDD)構成選好を受信するための手段と、
前記TDD構成選好に少なくとも部分的に基づいて、複数の可能なTDD構成から1つのTDD構成を選択するための手段と、
前記選択されたTDD構成を識別する選択情報を送信するための手段と
を備える装置。
【請求項２６】
前記複数の可能なTDD構成は複数のアップリンクダウンリンク構成を含む、請求項25に記載の装置。
【請求項２７】
前記複数のアップリンクダウンリンク構成は、3GPP TS 36.211アップリンクダウンリンク(UL-DL)構成0、1、および2を含む、請求項26に記載の装置。
【請求項２８】
前記TDD構成選好のうちの1つのTDD構成選好は、スペクトルアクセスシステム(SAS)登録または共存マネージャ(CxM)登録中に登録メッセージのパラメータを介して受信される、請求項25に記載の装置。
【請求項２９】
前記TDD構成選好の各TDD構成選好は、共通のTDD構成を識別し、
前記選択されたTDD構成は前記共通のTDD構成である、請求項25に記載の装置。
【請求項３０】
前記TDD構成選好のうちの2つ以上のTDD構成選好は、共通のTDD構成を識別せず、
前記選択されたTDD構成は妥協TDD構成である、請求項25に記載の装置。
【請求項３１】
前記妥協TDD構成は、前記TDD構成選好のアップリンク/ダウンリンク(UL:DL)比の平均に少なくとも部分的に基づいて判断される、請求項30に記載の装置。
【請求項３２】
前記妥協TDD構成は、前記複数の可能なTDD構成のうちの、前記平均に最も近いUL:DL比に関連付けられる、請求項31に記載の装置。
【請求項３３】
前記選択情報は、
市民ブロードバンドサービスデバイス(CBSD)用の第1の1次チャネル割振りに関連付けられた前記妥協TDD構成と、
前記複数の可能なTDD構成のうちの1つのTDD構成選好であって、前記CBSD用の第2の1次チャネル割振りに関連付けられた、前記CBSDによって最初に示され、かつ前記TDD構成選好に少なくとも部分的に基づいて判断された、1つのTDD構成選好と
を識別し、
前記第2の1次チャネル割振りは、ガード帯域割振りと、前記第1の1次チャネル割振りの送信電力に対する送信電力削減とに関連付けられる、請求項30に記載の装置。
【請求項３４】
前記CBRS帯域の、市民ブロードバンドサービスデバイス(CBSD)に割り当てられた1次チャネル用のガード帯域は、
前記選択されたTDD構成と、
前記CBSD用の1次チャネル周波数ブロック割当て、他のCBSDの1次チャネル周波数ブロック割当て、ガード帯域メトリック、分離メトリック、または送信電力削減のうちの少なくとも1つと
に少なくとも部分的に基づいて判断される、請求項29に記載の装置。
【請求項３５】
ワイヤレス通信のためのコンピュータ実行可能なコードを記憶した非一時的コンピュータ可読記録媒体であって、
市民ブロードバンド無線サービス(CBRS)帯域について、時分割複信(TDD)構成選好を受信し、
前記TDD構成選好に少なくとも部分的に基づいて、複数の可能なTDD構成から1つのTDD構成を選択し、
前記選択されたTDD構成を識別する選択情報を送信する
ためのコードを備える、非一時的コンピュータ可読記録媒体。
【請求項３６】
前記複数の可能なTDD構成は複数のアップリンクダウンリンク構成を含む、請求項35に記載の非一時的コンピュータ可読記録媒体。
【請求項３７】
前記複数のアップリンクダウンリンク構成は、3GPP TS 36.211アップリンクダウンリンク(UL-DL)構成0、1、および2を含む、請求項36に記載の非一時的コンピュータ可読記録媒体。
【請求項３８】
前記TDD構成選好のうちの1つのTDD構成選好は、スペクトルアクセスシステム(SAS)登録または共存マネージャ(CxM)登録中に登録メッセージのパラメータを介して受信される、請求項35に記載の非一時的コンピュータ可読記録媒体。
【請求項３９】
前記TDD構成選好の各TDD構成選好は、共通のTDD構成を識別し、
前記選択されたTDD構成は前記共通のTDD構成である、請求項35に記載の非一時的コンピュータ可読記録媒体。
【請求項４０】
前記TDD構成選好のうちの2つ以上のTDD構成選好は、共通のTDD構成を識別せず、
前記選択されたTDD構成は妥協TDD構成である、請求項35に記載の非一時的コンピュータ可読記録媒体。
【請求項４１】
前記妥協TDD構成は、前記TDD構成選好のアップリンク/ダウンリンク(UL:DL)比の平均に少なくとも部分的に基づいて判断される、請求項40に記載の非一時的コンピュータ可読記録媒体。
【請求項４２】
前記妥協TDD構成は、前記複数の可能なTDD構成のうちの、前記平均に最も近いUL:DL比に関連付けられる、請求項41に記載の非一時的コンピュータ可読記録媒体。
【請求項４３】
前記選択情報は、
市民ブロードバンドサービスデバイス(CBSD)用の第1の1次チャネル割振りに関連付けられた前記妥協TDD構成と、
前記複数の可能なTDD構成のうちの1つのTDD構成選好であって、前記CBSD用の第2の1次チャネル割振りに関連付けられた、前記CBSDによって最初に示され、かつ前記TDD構成選好に少なくとも部分的に基づいて判断された、1つのTDD構成選好と
を識別し、
前記第2の1次チャネル割振りは、ガード帯域割振りと、前記第1の1次チャネル割振りの送信電力に対する送信電力削減とに関連付けられる、請求項40に記載の非一時的コンピュータ可読記録媒体。
【請求項４４】
前記CBRS帯域の、市民ブロードバンドサービスデバイス(CBSD)に割り当てられた1次チャネル用のガード帯域は、
前記選択されたTDD構成と、
前記CBSD用の1次チャネル周波数ブロック割当て、他のCBSDの1次チャネル周波数ブロック割当て、ガード帯域メトリック、分離メトリック、または送信電力削減のうちの少なくとも1つと
に少なくとも部分的に基づいて判断される、請求項35に記載の非一時的コンピュータ可読記録媒体。
【発明の詳細な説明】
【技術分野】
【０００１】
米国特許法119条に基づく関連出願の相互参照
本出願は、参照によって本明細書に明確に組み込まれている、「TECHNIQUES AND APPARATUSES FOR TIME DIVISION DUPLEX COEXISTENCE CONFIGURATION」と題する、2017年8月1日に出願した仮特許出願第62/539,869号および「TECHNIQUES AND APPARATUSES FOR TIME DIVISION DUPLEX COEXISTENCE CONFIGURATION」と題する、2018年6月20日に出願した米国非仮特許出願第16/013,790号に対する優先権を主張する。
【０００２】
本開示は、概して通信システムに関し、より詳細には、時分割複信(TDD)構成のための技法および装置に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソース(たとえば、帯域幅、送信電力)を共有することによって複数のユーザとの通信をサポートすることが可能な多元接続技術を利用することができる。そのような多元接続技術の例は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)を含む。
【０００４】
これらの多元接続技術は、異なるワイヤレスデバイスが都市、国家、地域、さらには地球規模で通信することを可能にする共通プロトコルを提供するために、様々な電気通信規格において採用されている。例示的な電気通信規格はロングタームエボリューション(LTE)である。LTEは、第3世代パートナーシッププロジェクト(3GPP)によって公表されたユニバーサルモバイルテレコミュニケーションシステム(UMTS)モバイル規格の拡張のセットである。LTEは、スペクトル効率を改善すること、コストを下げること、サービスを改善すること、新しいスペクトルを利用すること、ならびに、ダウンリンク(DL)上のOFDMA、アップリンク(UL)上のSC-FDMA、および多入力多出力(MIMO)アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、LTE技術におけるさらなる改善が必要である。好ましくは、これらの改善は、他の多元接続技術と、これらの技術を使用する電気通信規格とに適用可能であるべきである。
【発明の概要】
【課題を解決するための手段】
【０００５】
本開示のある態様では、方法、装置、およびコンピュータプログラム製品が提供される。
【０００６】
いくつかの態様では、方法は、市民ブロードバンド無線サービス(CBRS)帯域向けのネットワーク管理デバイスによって、時分割複信(TDD)構成選好(configuration preference)を受信するステップを含み得る。方法は、ネットワーク管理デバイスによって、およびTDD構成選好に少なくとも部分的に基づいて、複数の可能なTDD構成からTDD構成を選択するステップを含み得る。方法は、ネットワーク管理デバイスによって、選択されたTDD構成を識別する選択情報を送信するステップを含み得る。
【０００７】
いくつかの態様では、装置は、メモリ、およびメモリに結合された少なくとも1つのプロセッサを含み得る。メモリおよび少なくとも1つのプロセッサは、CBRS帯域について、TDD構成選好を受信するように構成され得る。メモリおよび少なくとも1つのプロセッサは、TDD構成選好に少なくとも部分的に基づいて、複数の可能なTDD構成からTDD構成を選択するように構成され得る。メモリおよび少なくとも1つのプロセッサは、選択されたTDD構成を識別する選択情報を送信するように構成され得る。
【０００８】
いくつかの態様では、装置は、CBRS帯域について、TDD構成選好を受信するための手段を含み得る。装置は、TDD構成選好に少なくとも部分的に基づいて、複数の可能なTDD構成からTDD構成を選択するための手段を含み得る。装置は、選択されたTDD構成を識別する選択情報を送信するための手段を含み得る。
【０００９】
いくつかの態様では、コンピュータプログラム製品は、コンピュータ実行可能コードを記憶する非一時的コンピュータ可読媒体を含み得る。コードは、CBRS帯域について、TDD構成選好を受信するためのコードを含み得る。コードは、TDD構成選好に少なくとも部分的に基づいて、複数の可能なTDD構成からTDD構成を選択するためのコードを含み得る。コードは、選択されたTDD構成を識別する選択情報を送信するためのコードを含み得る。
【００１０】
態様は概して、添付図面および本明細書を参照しながら実質的に本明細書で説明するような、ならびに添付図面および本明細書によって示すような、方法、装置、システム、コンピュータプログラム製品、非一時的コンピュータ可読媒体、処理システム、ユーザ機器、市民ブロードバンドサービスデバイス、共存管理デバイス、ネットワーク管理デバイス、eNB、および基地局を含む。
【００１１】
上記では、以下の発明を実施するための形態がより良く理解され得るように、本開示による例の特徴および技術的利点がかなり広く概説された。以下で、追加の特徴および利点について説明する。開示する概念および具体例は、本開示の同じ目的を実施するための他の構造を変更または設計するための基礎として容易に利用され得る。そのような等価な構成は、添付の特許請求の範囲から逸脱しない。本明細書で開示する概念の特性、それらの編成と動作方法の両方が、関連する利点とともに、添付の図に関して検討されると以下の説明からより良く理解されよう。図の各々は、例示および説明のために提供され、特許請求の範囲の限定の定義として提供されるものではない。
【図面の簡単な説明】
【００１２】
【図１】ネットワークアーキテクチャの例を示す図である。
【図２】アクセスネットワークの例を示す図である。
【図３】LTEにおけるDLフレーム構造の例を示す図である。
【図４】LTEにおけるULフレーム構造の例を示す図である。
【図５】ユーザプレーンおよび制御プレーンの無線プロトコルアーキテクチャの例を示す図である。
【図６】アクセスネットワークにおける発展型ノードBおよびユーザ機器の例を示す図である。
【図７】市民ブロードバンド無線サービス(CBRS)帯域向けの時分割複信(TDD)構成を示す図である。
【図８】ワイヤレス通信の方法のフローチャートである。
【図９】例示的な装置の中の異なる手段/構成要素の間のデータフローを示す概念的なデータフロー図である。
【図１０】処理システムを使用する装置のためのハードウェア実装の例を示す図である。
【発明を実施するための形態】
【００１３】
添付の図面に関して以下に記載する詳細な説明は、様々な構成の説明として意図されており、本明細書で説明する概念が実践されてよい構成を表すことは意図されていない。詳細な説明は、様々な概念の完全な理解を促すための具体的な詳細を含む。しかしながら、これらの概念がこれらの具体的な詳細なしに実践される場合があることは当業者には明らかであろう。場合によっては、そのような概念を不明瞭にすることを避けるために、よく知られている構造および構成要素がブロック図の形態で示される。
【００１４】
以下で、電気通信システムのいくつかの態様が、様々な装置および方法を参照して提示される。これらの装置および方法について、以下の詳細な説明において説明し、様々なブロック、構成要素、回路、ステップ、プロセス、アルゴリズムなど(「要素」と総称される)によって添付の図面に示す。これらの要素は、電子ハードウェア、コンピュータソフトウェア、またはそれらの任意の組合せを使用して実装されることがある。そのような要素がハードウェアとして実装されるのかそれともソフトウェアとして実装されるのかは、特定の適用例および全体的なシステムに課される設計制約に依存する。
【００１５】
例として、要素または要素の任意の部分または要素の任意の組合せを、1つまたは複数のプロセッサを含む「処理システム」で実装することができる。プロセッサの例としては、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能性を実施するように構成された他の好適なハードウェアがある。処理システムの中の1つまたは複数のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェア構成要素、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００１６】
したがって、1つまたは複数の例示的実施形態では、説明される機能は、ハードウェア、ソフトウェア、ファームウェア、またはそれらの任意の組合せで実装され得る。ソフトウェアで実装される場合、機能は、1つまたは複数の命令またはコードとして、コンピュータ可読媒体上に記憶されてよく、または符号化されてよい。コンピュータ可読媒体は、コンピュータ記憶媒体を含む。記憶媒体は、コンピュータによってアクセス可能な任意の利用可能な媒体であり得る。限定ではなく例として、そのようなコンピュータ可読媒体は、ランダムアクセスメモリ(RAM)、読取り専用メモリ(ROM)、電気的消去可能プログラマブルROM(EEPROM)、コンパクトディスクROM(CD-ROM)もしくは他の光ディスクストレージ、磁気ディスクストレージもしくは他の磁気記憶デバイス、上述のタイプのコンピュータ可読媒体の組合せ、またはコンピュータによってアクセスされ得る命令もしくはデータ構造の形態でコンピュータ実行可能コードを記憶するために使用され得る任意の他の媒体を備えることができる。
【００１７】
図1は、LTEネットワークアーキテクチャ100を示す図である。LTEネットワークアーキテクチャ100は、発展型パケットシステム(EPS)100と呼ばれる場合がある。EPS100は、1つまたは複数のユーザ機器(UE)102、発展型UMTS地上波無線アクセスネットワーク(E-UTRAN)104、発展型パケットコア(EPC)110、および事業者のインターネットプロトコル(IP)サービス122を含むことができる。EPSは、他のアクセスネットワークと相互接続することができるが、簡単のために、それらのエンティティ/インターフェースは図示されない。図示のように、EPSはパケット交換サービスを提供するが、当業者が容易に諒解するように、本開示全体にわたって提示される様々な概念は、回線交換サービスを提供するネットワークに拡張され得る。
【００１８】
E-UTRANは、発展型ノードB(eNB)106および他のeNB108を含み、マルチキャスト協調エンティティ(MCE)128を含むことができる。eNB106は、UE102に対してユーザプレーンプロトコル終端および制御プレーンプロトコル終端を提供する。eNB106は、バックホール(たとえばX2インターフェース)を介して他のeNB108に接続されてよい。MCE128は、発展型マルチメディアブロードキャストマルチキャストサービス(MBMS)(eMBMS)のために時間/周波数無線リソースを割り振り、eMBMSのための無線構成(たとえば、変調およびコーディング方式(MCS))を決定する。MCE128は、別個のエンティティであってよく、またはeNB106の一部であってよい。eNB106は、基地局、ノードB、アクセスポイント、ベーストランシーバ局、無線基地局、無線トランシーバ、トランシーバ機能、基本サービスセット(BSS)、拡張サービスセット(ESS)、またはいくつかの他の適切な用語で呼ばれることもある。eNB106は、UE102のためにEPC110へのアクセスポイントを与える。UE102の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、タブレット、または同様に機能する任意の他のデバイスが含まれる。UE102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれるか、または何らかの他の適切な用語で呼ばれることもある。
【００１９】
eNB106は、EPC110に接続される。EPC110は、モビリティ管理エンティティ(MME)112、ホーム加入者サーバ(HSS)120、他のMME114、サービングゲートウェイ116、マルチメディアブロードキャストマルチキャストサービス(MBMS)ゲートウェイ124、ブロードキャストマルチキャストサービスセンター(BM-SC)126、およびパケットデータネットワーク(PDN)ゲートウェイ118を含むことができる。MME112は、UE102とEPC110との間のシグナリングを処理する制御ノードである。一般に、MME112は、ベアラおよび接続の管理を行う。すべてのユーザのIPパケットは、それ自体がPDNゲートウェイ118に接続されているサービングゲートウェイ116を通して転送される。PDNゲートウェイ118は、UEのIPアドレス割振り、ならびに他の機能を行う。PDNゲートウェイ118およびBM-SC126は、IPサービス122に接続される。IPサービス122は、インターネット、イントラネット、IPマルチメディアサブシステム(IMS)、PSストリーミングサービス(PSS)、および/または他のIPサービスを含み得る。BM-SC126は、MBMSユーザサービスのプロビジョニングおよび配信のための機能を提供することができる。BM-SC126は、コンテンツプロバイダMBMS送信に対するエントリポイントとしてサービスし得、PLMN内のMBMSベアラサービスを認可して初期化するために使用され得、MBMS送信をスケジュールして配信するために使用され得る。MBMSゲートウェイ124は、特定のサービスをブロードキャストしているマルチキャストブロードキャスト単一周波数ネットワーク(MBSFN)エリアに属するeNB(たとえば、106、108)にMBMSトラフィックを分散するために使用されてよく、セッション管理(開始/停止)、およびeMBMS関連の課金情報の収集を担ってよい。
【００２０】
図1は例として提供される。他の例が可能であり、図1に関して説明されたものとは異なってよい。
【００２１】
図2は、LTEネットワークアーキテクチャにおけるアクセスネットワーク200の例を示す図である。この例では、アクセスネットワーク200は、いくつかのセルラー領域(セル)202に分割されている。1つまたは複数のより低電力クラスのeNB208が、セル202のうちの1つまたは複数と重なるセルラー領域210を有し得る。より低電力クラスのeNB208は、フェムトセル(たとえば、ホームeNB(HeNB))、ピコセル、マイクロセル、またはリモート無線ヘッド(RRH)であってよい。マクロeNB204は各々、それぞれのセル202に割り当てられ、セル202中のすべてのUE206にEPC110へのアクセスポイントを提供するように構成される。アクセスネットワーク200のこの例では中央コントローラはないが、代替の構成では中央コントローラが使用される場合がある。eNB204は、無線ベアラ制御、アドミッション制御、モビリティ制御、スケジューリング、セキュリティ、およびサービングゲートウェイ116への接続を含む、すべての無線関連機能を担う。eNBは、1つまたは複数(たとえば、3つ)のセル(セクタとも呼ばれる)をサポートすることができる。「セル」という用語は、特定のカバレージエリアにサービスするeNBおよび/またはeNBサブシステムの最小カバレージエリアを指すことができる。さらに、「eNB」、「基地局」、および「セル」という用語は、本明細書では互換的に使用される場合がある。
【００２２】
アクセスネットワーク200によって用いられる変調方式および多元接続方式は、導入されている特定の電気通信規格に応じて異なり得る。LTEの適用例では、周波数分割複信(FDD)と時分割複信(TDD)の両方をサポートするために、OFDMがDL上で使用され、SC-FDMAがUL上で使用される。当業者が以下の詳細な説明から容易に諒解するように、本明細書で提示される様々な概念は、LTE適用例に適している。しかしながら、これらの概念は、他の変調および多元接続技法を利用する他の電気通信規格に容易に拡張され得る。例として、これらの概念は、エボリューションデータオプティマイズド(EV-DO)またはウルトラモバイルブロードバンド(UMB)に拡張され得る。EV-DOおよびUMBは、CDMA2000規格ファミリーの一部として第3世代パートナーシッププロジェクト2(3GPP2)によって公表されたエアインターフェース規格であり、ブロードバンドインターネットアクセスを移動局に提供するためにCDMAを用いる。これらの概念はまた、広帯域CDMA(W-CDMA)およびTD-SCDMAなどのCDMAの他の変形態を用いるユニバーサル地上波無線アクセス(UTRA)、TDMAを用いるモバイル通信用グローバルシステム(GSM)、ならびにOFDMAを用いる発展型UTRA(E-UTRA)、IEEE802.11(Wi-Fi)、IEEE802.16(WiMAX)、IEEE802.20、およびFlash-OFDMに拡張され得る。UTRA、E-UTRA、UMTS、LTE、およびGSMは、3GPP組織からの文書に記載されている。CDMA2000およびUMBは、3GPP2組織からの文書に記載されている。利用される実際のワイヤレス通信規格および多元接続技術は、特定の適用例と、システムに課される全体的な設計制約とによって決まることになる。
【００２３】
eNB204は、MIMO技術をサポートする複数のアンテナを有し得る。MIMO技術を使用することにより、eNB204は、空間領域を活用して、空間多重化、ビームフォーミング、および送信ダイバーシティをサポートできるようになる。空間多重化は、異なるデータストリームを同じ周波数上で同時に送信するために使用され得る。データストリームは、データレートを向上させるために単一のUE206に送信されてよく、または、全体的なシステム容量を増大させるために複数のUE206に送信されてよい。これは、各データストリームを空間的にプリコーディングし(すなわち、振幅および位相のスケーリングを適用し)、次いで、空間的にプリコーディングされた各ストリームをDL上で複数の送信アンテナを通して送信することによって達成される。空間的にプリコーディングされたデータストリームは、異なる空間シグネチャとともにUE206に到達し、これにより、UE206の各々は、そのUE206に向けられた1つまたは複数のデータストリームを復元することが可能になる。UL上では、各UE206は、空間的にプリコーディングされたデータストリームを送信し、これにより、eNB204は、空間的にプリコーディングされた各データストリームのソースを特定することが可能になる。
【００２４】
空間多重化は一般に、チャネル条件が良好なときに使用される。チャネル状態があまり好ましくないとき、送信エネルギーを1つまたは複数の方向に集中させるために、ビームフォーミングが使用され得る。このことは、複数のアンテナを通して送信するためにデータを空間的にプリコーディングすることによって達成され得る。セルのエッジにおいて良好なカバレージを達成するために、送信ダイバーシティと組み合わせて単一のストリームビームフォーミング送信が使用され得る。
【００２５】
以下の詳細な説明では、アクセスネットワークの様々な態様について、DL上のOFDMをサポートするMIMOシステムを参照して説明する。OFDMは、OFDMシンボル内のいくつかのサブキャリアにわたってデータを変調するスペクトル拡散技法である。サブキャリアは、正確な周波数で離間される。離間は、受信機がサブキャリアからデータを再生できるようにする「直交性」を与える。時間領域では、OFDMシンボル間干渉をなくすために、各OFDMシンボルにガードインターバル(たとえば、サイクリックプレフィックス)が追加され得る。ULは、高いピーク対平均電力比(PAPR)を補償するために、DFT拡散OFDM信号の形態でSC-FDMAを使用し得る。
【００２６】
図2は例として提供される。他の例が可能であり、図2に関して説明されたものとは異なってよい。
【００２７】
図3は、LTEにおけるDLフレーム構造の例を示す図300である。フレーム(10ミリ秒)は、等しいサイズの10個のサブフレームに分割され得る。各サブフレームは、連続する2つの時間スロットを含み得る。リソースグリッドは、2つの時間スロットを表すために使用されてよく、各時間スロットはリソースブロックを含む。リソースグリッドは、複数のリソース要素に分割される。LTEにおいて、ノーマルサイクリックプレフィックスの場合、リソースブロックは、合計で84個のリソース要素に対して、周波数領域での12個の連続するサブキャリア、および時間領域での7個の連続するOFDMシンボルを含む。拡張サイクリックプレフィックスの場合、リソースブロックは、合計で72個のリソース要素に対して、周波数領域での12個の連続するサブキャリア、および時間領域での6個の連続するOFDMシンボルを含む。R302、R304として示されるリソース要素のうちのいくつかは、DL基準信号(DL-RS)を含む。DL-RSは、セル固有RS(CRS)(共通RSと呼ばれることもある)302、およびUE固有RS(UE-RS)304を含む。UE-RS304は、対応する物理DL共有チャネル(PDSCH)がマッピングされるリソースブロック上で送信される。各リソース要素によって搬送されるビット数は、変調方式に依存する。したがって、UEが受信するリソースブロックが多いほど、および変調方式が高度であるほど、UEのデータレートは高くなる。
【００２８】
図3は例として提供される。他の例が可能であり、図3に関して説明されたものとは異なってよい。
【００２９】
図4は、LTEにおけるULフレーム構造の例を示す図400である。ULに利用可能なリソースブロックは、データセクションおよび制御セクションに区分され得る。制御セクションは、システム帯域幅の2つのエッジに形成される場合があり、構成可能なサイズを有する場合がある。制御セクション内のリソースブロックは、制御情報を送信するためにUEに割り当てられる場合がある。データセクションは、制御セクションに含まれないすべてのリソースブロックを含む場合がある。このULフレーム構造により、データセクションは連続するサブキャリアを含むことになり、これにより、単一のUEに、データセクション内の連続するサブキャリアのすべてを割り当てることが可能になり得る。
【００３０】
制御情報をeNBに送信するために、制御セクション中のリソースブロック410a、410bをUEに割り当てることができる。UEはまた、データをeNBに送信するために、データセクション内のリソースブロック420a、420bを割り当てられ得る。UEは、制御セクション内の割り当てられたリソースブロック上の物理UL制御チャネル(PUCCH)内で制御情報を送信することができる。UEは、データセクション中の割り当てられたリソースブロック上の物理UL共有チャネル(PUSCH)において、データ、またはデータと制御情報の両方を送信し得る。UL送信は、サブフレームの両方のスロットにまたがる場合があり、周波数にわたってホッピングする場合がある。
【００３１】
リソースブロックのセットは、初期システムアクセスを実行し、物理ランダムアクセスチャネル(PRACH)430におけるUL同期を達成するために使用され得る。PRACH430は、ランダムシーケンスを搬送し、いかなるULデータ/シグナリングも搬送することができない。各ランダムアクセスプリアンブルは、連続する6個のリソースブロックに対応する帯域幅を占有する。開始周波数は、ネットワークによって指定される。すなわち、ランダムアクセスプリアンブルの送信は、いくつかの時間リソースおよび周波数リソースに制限される。PRACHの場合、周波数ホッピングは存在しない。PRACHの試行は、単一のサブフレーム(1ms)内で、または少数の連続するサブフレームのシーケンス内で搬送され、UEは、フレーム(10ms)ごとに単一のPRACHの試行を行うことができる。
【００３２】
図4は例として提供される。他の例が可能であり、図4に関して説明されたものとは異なってよい。
【００３３】
図5は、LTEにおけるユーザプレーンおよび制御プレーンのための無線プロトコルアーキテクチャの例を示す図500である。UEおよびeNBのための無線プロトコルアーキテクチャは、レイヤ1、レイヤ2、およびレイヤ3という3つのレイヤで示される。レイヤ1(L1レイヤ)は最下位レイヤであり、様々な物理レイヤ信号処理機能を実装する。L1レイヤは、本明細書では物理レイヤ506と呼ばれる。レイヤ2(L2レイヤ)508は、物理レイヤ506の上にあり、物理レイヤ506を介してUEとeNBとの間のリンクを担う。
【００３４】
ユーザプレーンでは、L2レイヤ508は、メディアアクセス制御(MAC)サブレイヤ510、無線リンク制御(RLC)サブレイヤ512、およびパケットデータコンバージェンスプロトコル(PDCP)サブレイヤ514を含み、それらはネットワーク側でeNBにおいて終端される。図示されていないが、UEは、ネットワーク側でのPDNゲートウェイ118において終端されるネットワークレイヤ(たとえば、IPレイヤ)と、接続の他端(たとえば、遠端UE、サーバなど)において終端されるアプリケーションレイヤとを含む、L2レイヤ508の上のいくつかの上位レイヤを有し得る。
【００３５】
PDCPサブレイヤ514は、異なる無線ベアラと論理チャネルとの間の多重化を行う。PDCPサブレイヤ514はまた、無線送信オーバーヘッドを低減するための上位レイヤデータパケットのヘッダ圧縮、データパケットを暗号化することによるセキュリティ、およびeNB間のUEのハンドオーバーサポートを行う。RLCサブレイヤ512は、上位レイヤデータパケットのセグメント化および再アセンブリ、紛失したデータパケットの再送、ならびに、ハイブリッド自動再送要求(HARQ)に起因して順序の狂った受信を補償するためのデータパケットの並べ替えを行う。MACサブレイヤ510は、論理チャネルとトランスポートチャネルとの間の多重化を行う。MACサブレイヤ510はまた、1つのセル中の様々な無線リソース(たとえば、リソースブロック)をUEの間で割り振ることを担う。MACサブレイヤ510はまた、HARQ動作を担う。
【００３６】
制御プレーンでは、UEおよびeNBのための無線プロトコルアーキテクチャは、制御プレーン用のヘッダ圧縮機能がないことを除いて、物理レイヤ506およびL2レイヤ508にとって実質的に同じである。制御プレーンはまた、レイヤ3(L3レイヤ)内に無線リソース制御(RRC)サブレイヤ516を含む。RRCサブレイヤ516は、無線リソース(たとえば、無線ベアラ)を取得すること、および、eNBとUEとの間のRRCシグナリングを使用して下位レイヤを構成することを担う。
【００３７】
図5は例として提供される。他の例が可能であり、図5に関して説明されたものとは異なってよい。
【００３８】
図6は、アクセスネットワークにおいてUE650と通信するeNB610のブロック図である。DLでは、コアネットワークからの上位レイヤパケットが、コントローラ/プロセッサ675に提供される。コントローラ/プロセッサ675は、L2レイヤの機能を実装する。DLでは、コントローラ/プロセッサ675は、ヘッダ圧縮、暗号化、パケットのセグメント化および並べ替え、論理チャネルとトランスポートチャネルとの間の多重化、ならびに、様々な優先度メトリックに少なくとも部分的に基づくUE650への無線リソース割振りを行う。コントローラ/プロセッサ675はまた、HARQ動作、紛失したパケットの再送信、およびUE650へのシグナリングを担う。
【００３９】
送信(TX)プロセッサ616は、L1レイヤ(すなわち、物理レイヤ)のための様々な信号処理機能を実装する。これらの信号処理機能は、UE650における順方向誤り訂正(FEC)を容易にするための符号化およびインタリービングと、様々な変調方式(たとえば、2値位相偏移変調(BPSK)、直交位相偏移変調(QPSK)、M位相偏移変調(M-PSK)、M直交振幅変調(M-QAM))に少なくとも部分的に基づく信号コンスタレーションへのマッピングとを含む。次いで、コーディングされ変調されたシンボルが並列ストリームに分割される。次いで、各ストリームは、OFDMサブキャリアにマッピングされ、時間領域および/または周波数領域において基準信号(たとえば、パイロット)と多重化され、次いで、逆高速フーリエ変換(IFFT)を使用して一緒に結合されて、時間領域OFDMシンボルストリームを搬送する物理チャネルを生成する。OFDMストリームは、空間的にプリコーディングされて、複数の空間ストリームを生成する。チャネル推定器674からのチャネル推定値が、コーディングおよび変調方式を判定するために、ならびに空間処理のために使用され得る。チャネル推定値は、UE650によって送信された基準信号および/またはチャネル状態フィードバックから導出される場合がある。次いで、各空間ストリームは、別個の送信機618TXを介して異なるアンテナ620に供給され得る。各送信機618TXは、送信のためのそれぞれの空間ストリームを用いてRFキャリアを変調し得る。
【００４０】
UE650において、各受信機654RXは、そのそれぞれのアンテナ652を通して信号を受信する。各受信機654RXは、RFキャリア上に変調された情報を復元し、その情報を受信(RX)プロセッサ656に与える。RXプロセッサ656は、L1レイヤの様々な信号処理機能を実装する。RXプロセッサ656は、UE650に宛てられた任意の空間ストリームを復元するために、情報に対して空間処理を実施することができる。複数の空間ストリームは、UE650に向けられている場合、RXプロセッサ656によって単一のOFDMAシンボルストリームに結合され得る。次いで、RXプロセッサ656は、高速フーリエ変換(FFT)を使用して、OFDMシンボルストリームを時間領域から周波数領域にコンバートする。周波数領域信号は、OFDM信号のサブキャリアごとに別々のOFDMシンボルストリームを含む。各サブキャリア上のシンボルおよび基準信号は、eNB610によって送信される、可能性が最も高い信号のコンスタレーションポイントを判断することによって復元および復調される。これらの軟判定は、チャネル推定器658によって計算されたチャネル推定値に少なくとも部分的に基づき得る。軟判定は、次いで、物理チャネル上でeNB610によって最初に送信されたデータ信号と制御信号とを復元するために、復号およびデインターリーブされる。次いで、データ信号および制御信号は、コントローラ/プロセッサ659に与えられる。
【００４１】
コントローラ/プロセッサ659はL2レイヤを実装する。コントローラ/プロセッサは、プログラムコードおよびデータを記憶するメモリ660に関連付けられ得る。メモリ660は、コンピュータ可読媒体と呼ばれることがある。ULでは、コントローラ/プロセッサ659が、コアネットワークからの上位レイヤパケットを復元するために、トランスポートチャネルと論理チャネルとの間の逆多重化、パケット再アセンブリ、解読、ヘッダ圧縮解除、制御信号処理を行う。次いで、上位レイヤパケットは、データシンク662に与えられ、データシンク662は、L2レイヤの上のすべてのプロトコルレイヤを表す。様々な制御信号が、L3処理のためにデータシンク662に供給されることもある。コントローラ/プロセッサ659はまた、HARQ動作をサポートするために、確認応答(ACK)および/または否定応答(NACK)のプロトコルを使用した誤り検出を担う。
【００４２】
ULでは、データソース667は、上位レイヤパケットをコントローラ/プロセッサ659に供給するために使用される。データソース667は、L2レイヤの上のすべてのプロトコルレイヤを表す。eNB610によるDL送信に関して説明した機能と同様に、コントローラ/プロセッサ659は、ヘッダ圧縮、暗号化、パケットのセグメント化および並べ替え、ならびにeNB610による無線リソース割振りに少なくとも部分的に基づく論理チャネルとトランスポートチャネルとの間の多重化を行うことによって、ユーザプレーンおよび制御プレーンのためのL2レイヤを実装する。コントローラ/プロセッサ659はまた、HARQ動作、紛失したパケットの再送信、およびeNB610へのシグナリングを担う。
【００４３】
eNB610によって送信された基準信号またはフィードバックからチャネル推定器658によって導出されたチャネル推定値を、TXプロセッサ668によって使用して、適切な符号化変調方式を選択し、空間処理を容易にすることができる。TXプロセッサ668によって生成された空間ストリームは、別個の送信機654TXを介して異なるアンテナ652に供給され得る。各送信機654TXは、送信のためのそれぞれの空間ストリームを用いてRFキャリアを変調し得る。
【００４４】
UL送信は、eNB610において、UE650における受信機機能に関して説明された方法と同様の方法で処理される。各受信機618RXは、そのそれぞれのアンテナ620を通して信号を受信する。各受信機618RXは、RFキャリア上に変調された情報を復元し、その情報をRXプロセッサ670に与える。RXプロセッサ670は、L1レイヤを実装することができる。
【００４５】
コントローラ/プロセッサ675はL2レイヤを実装する。コントローラ/プロセッサ675は、プログラムコードおよびデータを記憶するメモリ676と関連付けることができる。メモリ676は、コンピュータ可読媒体と呼ばれることがある。ULでは、コントローラ/プロセッサ675は、UE650からの上位レイヤパケットを復元するために、トランスポートチャネルと論理チャネルとの間の逆多重化、パケット再アセンブリ、解読、ヘッダ圧縮解除、制御信号処理を行う。コントローラ/プロセッサ675からの上位レイヤのパケットは、コアネットワークに提供され得る。コントローラ/プロセッサ675は、HARQ動作をサポートするために、ACKおよび/またはNACKプロトコルを使用する誤り検出も担う。
【００４６】
eNB610のコントローラ/プロセッサ675、UE650のコントローラ/プロセッサ659、および/または図6の任意の他の構成要素は、本明細書の他の箇所でより詳細に説明するTDD共存構成に関連付けられた1つまたは複数の技法を実施することができる。たとえば、eNB610のコントローラ/プロセッサ675、UE650のコントローラ/プロセッサ659、および/または図2の任意の他の構成要素は、たとえば、図8の方法800、および/または本明細書で説明する他のプロセスの動作を実施または指示してよい。メモリ676および660は、それぞれ、eNB610およびUE650のためのデータおよびプログラムコードを記憶し得る。
【００４７】
図6は例として提供される。他の例が可能であり、図6に関して説明されたものとは異なってよい。
【００４８】
市民ブロードバンド無線サービス(CBRS)は、ネットワークリソースを共有するための時分割複信(TDD)を使って展開され得る。CBRSベースのネットワークでは、CBRS帯域向けの共存管理を提供するネットワーク管理デバイス(たとえば、共存管理デバイス(CxM))が、アップリンク(UL)送信、ダウンリンク(DL)送信などのためのサブフレームを割り当てるのに、あらかじめ定義されたTDD構成(すなわち、TDD共存構成)を使用し得る。たとえば、CBRSは、2:6のサブフレームのUL:DL比をもつ3GPP TS 36.211アップリンクダウンリンク構成2を使用するように構成される。
【００４９】
本明細書では、3Gおよび/または4Gワイヤレス技術に一般的に関連する用語を使用して、態様について説明する場合があるが、本開示の態様は、5G技術を含む、5G以降など、他の世代ベースの通信システムにおいて適用される場合があることに留意されたい。したがって、本明細書に記載するいくつかの態様は、3GPP TS 36.211およびLTE技術によって記述されるが、本明細書に記載する態様は、5G技術(ときには、新無線(NR)技術と呼ばれる)などのような、他のアップリンクダウンリンク構成および他の技術によって使用されてよい。
【００５０】
5Gとは、(たとえば、直交周波数分割多元接続(OFDMA)ベースのエアインターフェース以外の)新たなエアインターフェースまたは(たとえば、インターネットプロトコル(IP)以外の)固定トランスポートレイヤに従って動作するように構成された無線を指すことがある。各態様では、5Gは、CPを含むOFDM(本明細書ではサイクリックプレフィックスOFDMもしくはCP-OFDMと呼ばれる)および/またはSC-FDMをアップリンク上で使用してよく、ダウンリンク上でCP-OFDMを利用し、TDDを使用する半二重動作のサポートを含んでよい。各態様では、5Gは、たとえば、CPを含むOFDM(本明細書ではCP-OFDMと呼ばれる)および/または離散フーリエ変換拡散直交周波数分割多重化(DFT-s-OFDM)をアップリンク上で使用してよく、ダウンリンク上でCP-OFDMを使用し、TDDを使う半二重動作のサポートを含んでよい。5Gは、拡張モバイルブロードバンド(eMBB)サービスターゲットの広い帯域幅(たとえば、80MHzを超える)、ミリ波(mmW)ターゲットの高いキャリア周波数(たとえば、60GHz)、マッシブMTC(mMTC)ターゲットの後方互換性のないMTC技法、および/またはミッションクリティカルターゲットの超高信頼低レイテンシ通信(URLLC)サービスを含み得る。
【００５１】
ネットワーク管理デバイスは、1次チャネル割当てを実施することができ、CBRS帯域を使うユーザ機器(UE)(たとえば、市民ブロードバンドサービスデバイス(CBSD))の一般認可アクセス内(GAA内)共存のための帯域幅を割り振ることができる。ネットワーク管理デバイスは、重複ネットワークまたは干渉調整グループ(ICG)を直交チャネルに割り当てることができる。ネットワークが、共通のTDD構成(すなわち、構成2)を使って時間同期されるとき、ガード帯域は割り振られる必要がなくてよく、そうすることによって、ULおよびDLのためのネットワークリソースの使用を改善する。
【００５２】
ただし、構成されたTDD構成(すなわち、構成2)は、UEのグループによるトラフィック使用に合致しないUL:DL比に関連付けられる場合がある。たとえば、いくつかのタイプのUEが、平衡(たとえば、サブフレーム0〜9について、D-S-U-U-D-D-S-U-U配置に関連付けられる4:4であって、ここでDはダウンリンクを表し、Uはアップリンクを表し、Sは間隔を表す)UL:DL比に関連付けられ得る。代替として、他のタイプのUE(たとえば、モノのインターネット(IoT)UE)が、UL選好(たとえば、サブフレーム0〜9について、D-S-U-D-D-D-S-U-D-D配置に関連付けられる2:6)UL:DL比に関連付けられ得る。したがって、構成されたTDD構成は、ULトラフィックへの、またはDLトラフィックへのネットワークリソースの割振り過剰、ULトラフィックへの、またはDLトラフィックへのネットワークリソースの割振り不足などによる乏しいネットワークリソース使用をもたらし得る。
【００５３】
本明細書に記載するいくつかの態様は、CBRS帯域向けのTDD構成(たとえば、TDD共存構成)を提供し得る。たとえば、本明細書に記載するいくつかの態様は、ネットワーク管理デバイスが、CBRS帯域を使うUEのTDD構成選好に少なくとも部分的に基づいて、複数の可能なTDD構成から選択することを可能にし得る。このようにして、ネットワーク管理デバイスは、単一の構成されたTDD構成に少なくとも部分的に基づいて、およびCBRS帯域を使用するUEの選好を考慮に入れずに、ネットワークリソースを割り振ることに比べて、ネットワークリソースの、より効率的な使用を可能にし得る。
【００５４】
図7は、CBRS帯域向けのTDD構成の例700を示す図である。図7に示すように、例700は、UEであってよいCBSD705-1、705-2、および705-3(これ以降、個別には「CBSD705」と、集合的には「複数のCBSD705」と呼ぶ)と、ネットワーク管理デバイスであってよいCxM710とを含み得る。
【００５５】
参照番号715によって示されるように、CxM710は、複数のCBSD705からTDD構成選好を受信し得る。たとえば、CxM710は、あるCBSD705がCBRS帯域に登録しているときに登録メッセージを受信する場合があり、登録メッセージは、(たとえば、平衡UL:DL使用ケース、UL選好(IoT)使用ケースなど、CBSDの使用ケースに対応する)選好TDD構成を識別するパラメータを含み得る。いくつかの態様では、可能なTDD構成は、3GPP TS 36.211によって定義される共存構成であり得る。たとえば、CxM710は、3GPP TS 36.211UL-DL構成0、構成1、および/または構成2をサポートし得る。いくつかの態様では、可能なTDD構成は、5Gまたは別の無線技術用に使われる共存構成であり得る。
【００５６】
いくつかの態様では、CxM710は、3つの可能なTDD構成をサポートするだけでよく、そうすることによって、特定のエリア用に複数の異なるTDD構成が展開される可能性を低減させる。この場合、CxM710は、3つの可能なTDD構成の各々について、固定特殊サブフレーム構成(SSF)(すなわち、SSF構成7)に関連付けられ得る。いくつかの態様では、CxM710は、可能なTDD構成に含まれない選好TDD構成を識別するTDD構成選好を受信し得る(たとえば、選好TDD構成は、CxM710によってサポートされない)。この場合、CxM710は、他の可能なTDD構成に比べて、選好TDD構成のUL:DL比に最も近いUL:DL比に関連付けられる可能なTDD構成を、展開用に選択すればよい。
【００５７】
参照番号720によって示されるように、CxM710は、TDD構成選好に少なくとも部分的に基づいてTDD構成を選択してよい。たとえば、各CBSD705(たとえば、単一のネットワークの、単一のICGの、単一のスペクトルアクセスシステム(SAS)接続セットの各CBSD705など)は、共通のTDD構成のTDD構成選好を示すとき、CxM710は、共通のTDD構成を、選択されたTDD構成として選択してよい。代替として、少なくとも1つのCBSD705が、(たとえば、共通ネットワークの、共通ICGの、共通SAS接続セットの、など)少なくとも1つの他のCBSD705とは異なる選好TDD構成を示すとき、CxM710は、妥協TDD構成(compromise TDD configuration)を、選択されたTDD構成として選択してよい。
【００５８】
いくつかの態様では、CxM710は、複数のCBSD705によって識別された選好TDD構成のUL:DL比の平均に少なくとも部分的に基づいて、妥協TDD構成を判断することができる。たとえば、CxM710は、選好TDD構成のUL:DL比に少なくとも部分的に基づいて平均UL:DL比を判断することができ、他の可能なTDD構成のUL:DL比に比べて平均UL:DL比に最も近いUL:DL比に関連付けられた可能なTDD構成を判断することができる。いくつかの態様では、CxM710は、CBSDベースで平均UL:DL比を判断することができる。たとえば、CxM710は、各CBSD705によって選好される各UL:DL比の平均をとることができる。追加または代替として、CxM710は、ICGまたはネットワークベースで平均UL:DL比を判断することができる。たとえば、CxM710は、各ICGによって選好される各UL:DL比の平均をとることができる。
【００５９】
いくつかの態様では、CxM710は、複数の候補TDD構成を判断することができる。たとえば、CxM710は、妥協TDD構成を候補TDD構成として、および選好TDD構成を候補TDD構成として判断することができる。この場合、CxM710は、各候補TDD構成を識別する選択情報を提供することができ、あるCBSD705から、候補TDD構成のうちの1つを識別する、選択情報への応答としての応答情報を受信することができ、選択された候補TDD構成をそのCBSD705用に構成することができる。
【００６０】
参照番号725によって示されるように、CxM710は、選択されたTDD構成を識別する選択情報を複数のCBSD705へ送信し得る。たとえば、選択されたTDD構成が複数のCBSD705の選好TDD構成であるとき、CxM710は、選好TDD構成に関連付けられた選択情報を提供してよい。追加または代替として、選択されたTDD構成が妥協TDD構成であるとき、CxM710は、妥協TDD構成に関連付けられた選択情報を提供してよい。
【００６１】
いくつかの態様では、選択情報は、複数の候補TDD構成を識別する情報を含み得る。たとえば、CxM710は、妥協TDD構成および第1の対応する1次チャネル割振りならびに選好TDD構成および第2の対応する1次チャネル割振りを識別するスペクトル照会を提供することができる。この場合、第2の対応する1次チャネル割振りは、同じ色(たとえば、周波数帯域)に対応する、あるCBSD705に対する、他の複数のCBSD705との同一チャネル干渉を避けるように、送信電力削減に関連付けられ得る。同様に、第2の対応する1次チャネル割振りは、異なる色に対応する、あるCBSD705に対する、他の複数のCBSD705との隣接チャネル干渉を避けるために、ガード帯域割振りに関連付けられ得る。このようにして、あるCBSD705は、ネットワークリソース割振りペナルティ(たとえば、送信電力削減および/またはガード帯域割振り)に関連付けられ得る、CxM710によって判断された妥協TDD構成またはそのCBSD705の選好TDD構成を選択することを可能にされてよい。
【００６２】
いくつかの態様では、CxM710は、CBSD705のための送信電力削減を判断することができ、送信電力を識別する選択情報を提供することができる。たとえば、CxM710は、あるCBSD705用の色を判断することができ、別のICGに、およびそのCBSD705と同じ色に関連付けられた他の複数のCBSD705を識別することができる。この場合、CxM710は、そのCBSD705と他の複数のCBSD705との間の同一チャネル割振り用の分離メトリックに少なくとも部分的に基づいて、送信電力削減を判断することができる。いくつかの態様では、分離メトリックは、同一チャネル割振りのための干渉回避に関連付けられた、経路損失メトリックまたは電力メトリックであってよい。いくつかの態様では、CxM710は、CBSD705についての隣接チャネル干渉を判断することができる。いくつかの態様では、CxM710は、CBSD705向けのガード帯域割振りを判断することができ、ガード帯域割振りを識別する選択情報を提供することができる。たとえば、CxM710は、特定のCBSD705用の1次チャネル周波数ブロックに隣接した周波数ブロックをもつ1次チャネルをもつ他の複数のCBSD705を判断することができ、ガード帯域メトリックを判断することができる。この場合、CxM710は、隣接チャネル干渉を避けるために、ガード帯域メトリックおよび周波数ブロックに少なくとも部分的に基づいて、ガード帯域を割り振ればよい。いくつかの態様では、ガード帯域メトリックは、1次チャネル周波数ブロックに隣接した周波数ブロックに関連付けられた他の複数のCBSD705との隣接チャネル干渉を避けることに関連付けられた経路損失分離であってよい。
【００６３】
上記のように、図7は例として提供される。他の例が可能であり、図7に関して説明されたものとは異なってよい。
【００６４】
図8は、ワイヤレス通信の方法800のフローチャートである。この方法は、CBRS帯域向けのネットワーク管理デバイス(たとえば、eNB106、eNB204、eNB208、eNB610、CxM710、装置902/902'などの構成要素、またはそれらと関連して動作する構成要素)によって実施され得る。
【００６５】
802において、ネットワーク管理デバイスは、TDD構成選好を受信し得る。たとえば、ネットワーク管理デバイス(たとえば、アンテナ620、受信機618、受信プロセッサ670、コントローラ/プロセッサ675などを使う)は、上述したように、市民ブロードバンドサービスデバイス(CBSD)(たとえば、eNB106、eNB204、eNB208、eNB610、CBSD705、CBSD950など)からTDD構成選好を受信し得る。いくつかの態様では、複数のTDD構成選好のうちのあるTDD構成選好が、スペクトルアクセスシステム(SAS)登録または共存マネージャ(CxM)登録中に、登録メッセージのパラメータを介して受信される。
【００６６】
804において、ネットワーク管理デバイスは、TDD構成選好に少なくとも部分的に基づいて、複数の可能なTDD構成からTDD構成を選択し得る。たとえば、ネットワーク管理デバイス(たとえば、コントローラ/プロセッサ675などを使う)は、上述したように、TDD構成選好に少なくとも部分的に基づいて、複数の可能なTDD構成からTDD構成を選択し得る。いくつかの態様では、可能なTDD構成は、複数のアップリンクダウンリンク構成を含む。いくつかの態様では、アップリンクダウンリンク構成は、3GPP TS 36.211アップリンクダウンリンク(UL-DL)構成0、1、および2を含む。
【００６７】
いくつかの態様では、それらのTDD構成選好の各TDD構成選好は、共通のTDD構成を識別し、選択されたTDD構成は共通のTDD構成である。
【００６８】
いくつかの態様では、TDD構成選好のうちの2つ以上のTDD構成選好は、共通のTDD構成を識別せず、選択されたTDD構成は妥協TDD構成である。いくつかの態様では、妥協TDD構成は、TDD構成選好のアップリンク/ダウンリンク(UL:DL)比の平均に少なくとも部分的に基づいて判断される。いくつかの態様では、妥協TDD構成は、可能なTDD構成のうちの、平均に最も近いUL:DL比に関連付けられる。いくつかの態様では、平均は、CBSDベースまたはネットワークベースで判断される。いくつかの態様では、選択情報は、CBSD用の第1の1次チャネル割振りに関連付けられた妥協TDD構成と、CBSD用の第2の1次チャネル割振りに関連付けられた、可能なTDD構成のうちの、CBSDによって最初に示されTDD構成選好に少なくとも部分的に基づいて判断された、TDD構成選好とを識別し、第2の1次チャネル割振りは、ガード帯域割振りと、第1の1次チャネル割振りの送信電力に対する送信電力削減とに関連付けられる。
【００６９】
806において、ネットワーク管理デバイスは、選択されたTDD構成を識別する選択情報を送信し得る。たとえば、ネットワーク管理デバイス(たとえば、コントローラ/プロセッサ675、送信プロセッサ616、送信機618、アンテナ620などを使う)は、上述したように、選択されたTDD構成を識別するための、およびCBSDが、選択されたTDD構成に少なくとも部分的に基づいて通信することを可能にするための選択情報を(たとえば、CBSDへ)送信し得る。
【００７０】
いくつかの態様では、選択されたTDD構成はTDD共存構成である。いくつかの態様では、1次チャネルが、TDD構成を識別する応答情報に少なくとも部分的に基づいて、CBRS帯域のCBSDに割り当てられ、応答情報は、選択情報への応答として受信される。いくつかの態様では、CBRS帯域のCBSDに割り当てられた1次チャネル用の送信電力削減は、選択されたTDD構成と、同一チャネル割振りをもつCBSDとの有害な干渉を避けるための分離メトリックとに少なくとも部分的に基づいて判断される。いくつかの態様では、CBRS帯域のCBSDに割り当てられた1次チャネル用のガード帯域は、選択されたTDD構成と、CBSD用の1次チャネル周波数ブロック割当て、他のCBSDの1次チャネル周波数ブロック割当て、有害な隣接チャネル干渉を避けるためのガード帯域メトリック、分離メトリック、または送信電力削減のうちの少なくとも1つとに少なくとも部分的に基づいて判断される。
【００７１】
方法800は、任意の単一の態様または上述の態様および/もしくは本明細書の他の箇所で説明する1つまたは複数の他のプロセスに関して説明する態様の任意の組合せなどの追加の態様を含んでよい。
【００７２】
図8は、ワイヤレス通信方法の例示的なブロックを示すが、いくつかの態様では、この方法は、図8に示すものと比べて、追加のブロック、より少ないブロック、異なるブロック、または異なるように配置されたブロックを含んでよい。追加または代替として、図8に示されるブロックのうちの2つ以上が並行して実施されてよい。
【００７３】
図9は、例示的な装置902における異なる手段/構成要素間のデータフローを示す概念データフロー図900である。装置902は、ネットワーク管理デバイス(たとえば、CxM)であってよい。いくつかの態様では、装置902は、受信構成要素904、選択構成要素906、および/または送信構成要素908を含む。
【００７４】
受信構成要素904は、1つまたは複数のCBSD950からデータ910を受信し得る。たとえば、受信構成要素904は、CBSDについてのTDD構成選好を示すデータ910を、CBSD950から受信し得る。いくつかの態様では、受信構成要素904は、登録メッセージのパラメータを介してTDD構成選好を受信し得る。たとえば、CBSD950が、スペクトルアクセスシステム(SAS)へのSAS登録または共存マネージャ(CxM)(たとえば、装置902)へのCxM登録を実施するとき、CBSD950は、構成0、構成1、構成2などのような3GPP TS 36.211UL-DL構成、または5Gなどの別の無線技術に関連付けられたUL-DL構成を識別するパラメータを含む登録メッセージを、受信構成要素904へ送信し得る。いくつかの態様では、受信構成要素904は、妥協TDD構成および選好TDD構成の選択を示す、スペクトル照会への応答を受信し得る。
【００７５】
選択構成要素906は、受信構成要素904からデータ912を受信し得る。たとえば、選択構成要素906は、CBRS帯域のCBSD950についてのTDD構成選好を示すデータ912を受信することができ、TDD構成選好に少なくとも部分的に基づいて、複数の可能なTDD構成からTDD構成を選択してよい。いくつかの態様では、選択構成要素906は、選好TDD構成を選択することができる。たとえば、共通選好TDD構成を示す、(たとえば、共通ネットワーク、共通ICG、共通SAS接続セットなどの)各CBSD950に少なくとも部分的に基づいて、選択構成要素906は、共通選好TDD構成を選択することができる。追加または代替として、(たとえば、共通ネットワーク、共通ICG、共通SAS接続セットなどの)少なくとも1つの他のCBSD950とは異なる選好TDD構成を示す少なくとも1つのCBSD950に少なくとも部分的に基づいて、選択構成要素906は妥協TDD構成を選択し得る。いくつかの態様では、選択構成要素906は、妥協TDD構成および選好TDD構成を選択することができ、CBSD950が妥協TDD構成および選好TDD構成から選択することを可能にするためのスペクトル照会を送信し得る。
【００７６】
送信構成要素908は、受信構成要素904からデータ914を、および選択構成要素906からデータ916を受信し得る。たとえば、送信構成要素908は、選好TDD構成、妥協TDD構成などのような、選択されたTDD構成を識別するデータ916を受信し得る。この場合、送信構成要素908は、CBSD950へデータ918を送信し得る。たとえば、送信構成要素908は、選択されたTDD構成を識別するデータ918を送信し得る。いくつかの態様では、送信構成要素908は、選択されたTDD構成に少なくとも部分的に基づいて、CBSD950についての、1次チャネル割振り、送信電力削減、またはガード帯域割振りを示すデータ918を送信し得る。いくつかの態様では、送信構成要素908は、CBSD950が妥協TDD構成および選好TDD構成から選択することを可能にするためのスペクトル照会を送信し得る。いくつかの態様では、送信構成要素908は、スペクトル照会への応答として実施された選択に関連付けられた1次チャネル割振りを識別する情報など、スペクトル照会への応答に少なくとも部分的に基づく情報を送信し得る。
【００７７】
装置は、図8の上記のフローチャートにおけるアルゴリズムのブロックの各々を実施する、追加の構成要素を含む場合がある。したがって、図8の上述のフローチャートにおける各ブロックは構成要素によって実施されてよく、装置はそれらの構成要素のうちの1つまたは複数を含んでよい。構成要素は、述べられたプロセス/アルゴリズムを遂行するように具体的に構成された1つもしくは複数のハードウェア構成要素であるか、述べられたプロセス/アルゴリズムを実施するように構成されたプロセッサによって実装されるか、プロセッサによる実装のためにコンピュータ可読媒体内に記憶されるか、またはそれらの何らかの組合せであり得る。
【００７８】
図9に示す構成要素の数および配置は、例として提供される。実際には、図9に示すものと比べて、追加の構成要素、より少ない構成要素、異なる構成要素、または異なるように配置された構成要素があってよい。さらに、図9に示す2つ以上の構成要素は、単一の構成要素内に実装されてよく、または図9に示す単一の構成要素は、複数の分散構成要素として実装されてよい。追加または代替として、図9に示す構成要素のセット(たとえば、1つまたは複数の構成要素)は、図9に示す構成要素の別のセットによって実施されるものとして説明される1つまたは複数の機能を実施してよい。
【００７９】
図10は、処理システム1002を利用する装置902'のハードウェア実装形態の例を示す図1000である。装置902'は、ネットワーク管理デバイス(たとえば、CxM)であってよい。
【００８０】
処理システム1002は、バス1004によって概略的に表されるバスアーキテクチャを用いて実装され得る。バス1004は、処理システム1002の具体的な適用例と全体的な設計制約とに応じて、任意の数の相互接続するバスおよびブリッジを含み得る。バス1004は、プロセッサ1006によって表される1つまたは複数のプロセッサおよび/またはハードウェア構成要素と、構成要素904、906、908と、コンピュータ可読媒体/メモリ1008とを含む様々な回路を互いにリンクさせる。バス1004はまた、タイミングソース、周辺装置、電圧調整器、および電力管理回路などの、様々な他の回路をリンクさせ得るが、それらは当技術分野においてよく知られており、したがって、これ以上は説明しない。
【００８１】
処理システム1002は、トランシーバ1010に結合され得る。トランシーバ1010は1つまたは複数のアンテナ1012に結合される。トランシーバ1010は、送信媒体上の様々な他の装置と通信するための手段を提供する。トランシーバ1010は、1つまたは複数のアンテナ1012から信号を受信し、受信された信号から情報を抽出し、抽出された情報を処理システム1002、特に受信構成要素904に提供する。加えて、トランシーバ1010は、処理システム1002、具体的には送信構成要素908から情報を受信し、受信された情報に少なくとも部分的に基づいて、1つまたは複数のアンテナ1012に印加すべき信号を生成する。処理システム1002は、コンピュータ可読媒体/メモリ1008に結合されたプロセッサ1006を含む。プロセッサ1006は、コンピュータ可読媒体/メモリ1008上に記憶されたソフトウェアの実行を含む、一般的な処理を担う。ソフトウェアは、プロセッサ1006によって実行されると、処理システム1002に、任意の特定の装置について上記で説明した様々な機能を実施させる。コンピュータ可読媒体/メモリ1008はまた、ソフトウェアを実行するときにプロセッサ1006によって操作されるデータを記憶するために使用されてよい。処理システムは、構成要素904、906、および908のうちの少なくとも1つをさらに含む。構成要素は、プロセッサ1006の中で稼働するとともにコンピュータ可読媒体/メモリ1008の中に常駐する/記憶されるソフトウェア構成要素、プロセッサ1006に結合された1つもしくは複数のハードウェア構成要素、またはそれらのいくつかの組合せであってよい。処理システム1002は、eNB610の構成要素であり得、メモリ676、ならびに/または、TXプロセッサ616、RXプロセッサ670、およびコントローラ/プロセッサ675のうちの少なくとも1つを含み得る。追加または代替として、処理システム1002は、eNB610とは分離しているとともに、メモリ、プロセッサ、コントローラなどを含む、CxMの構成要素であってよい。
【００８２】
いくつかの態様では、ワイヤレス通信のための装置902/902'は、市民ブロードバンド無線サービス(CBRS)帯域について、時分割複信(TDD)構成選好を受信するための手段と、TDD構成選好に少なくとも部分的に基づいて、複数の可能なTDD構成からTDD構成を選択するための手段と、選択されたTDD構成を識別する選択情報を送信するための手段とを含む。上述の手段は、上述の手段によって列挙された機能を実施するように構成された装置902および/または装置902'の処理システム1002の上述の構成要素のうちの1つまたは複数であり得る。上記で説明したように、処理システム1002は、TXプロセッサ616、RXプロセッサ670、およびコントローラ/プロセッサ675を含んでよい。したがって、一構成では、前述の手段は、前述の手段によって列挙された機能を実施するように構成された、TXプロセッサ616、RXプロセッサ670、およびコントローラ/プロセッサ675であり得る。
【００８３】
図10は例として提供される。他の例が可能であり、図10に関して説明されたものとは異なってよい。
【００８４】
開示したプロセス/フローチャートにおけるブロックの特定の順序または階層は、例示的な手法の例示であることを理解されたい。設計選好に基づいて、プロセス/フローチャートにおけるブロックの特定の順序または階層が並べ替えられてよいことを理解されたい。さらに、いくつかのブロックが組み合わせられてよく、または省略されてよい。添付の方法クレームは、様々なブロックの要素を例示的な順序で提示したものであり、提示された特定の順序または階層に限定されるものでない。
【００８５】
上記の説明は、本明細書において説明された様々な態様を任意の当業者が実践できるようにするために提供される。これらの態様に対する様々な修正は当業者には容易に明らかであり、本明細書において規定された一般原理は他の態様に適用されてよい。したがって、特許請求の範囲は、本明細書に示す態様に限定されるものではなく、クレーム文言に矛盾しない最大の範囲を与えられるべきであり、単数形での要素への言及は、そのように明記されていない限り、「唯一無二の」を意味するものではなく、「1つまたは複数の」を意味するものである。「例示的」という語は、「例、事例、または例示として働くこと」を意味するために本明細書で使用される。「例示的」として本明細書に記載されたいかなる態様も、必ずしも他の態様よりも好ましいか、または有利であると解釈されるべきではない。別段に明記されていない限り、「いくつかの」という用語は1つまたは複数を指す。「A、B、またはCのうちの少なくとも1つの」、「A、B、およびCのうちの少なくとも1つ」、「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、およびCのうちの少なくとも1つ」、「A、B、C、またはそれらの任意の組合せ」などの組合せは、Aのみ、Bのみ、Cのみ、AおよびB、AおよびC、BおよびC、AおよびBおよびCであり得、任意のそのような組合せは、A、B、またはCのうちの1つまたは複数のメンバーを含み得る。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。その上、本明細書で開示されたものは、そのような開示が特許請求の範囲において明示的に列挙されているかどうかにかかわらず、公に供されることは意図されていない。「ための手段」という句を使用して要素が明確に列挙されていない限り、いかなるクレーム要素もミーンズプラスファンクションとして解釈されるべきではない。
【符号の説明】
【００８６】
100  LTEネットワークアーキテクチャ、発展型パケットシステム(EPS)
102  ユーザ機器(UE)
104  発展型UMTS地上波無線アクセスネットワーク(E-UTRAN)
106  発展型ノードB(eNB)
108  他のeNB、eNB
110  発展型パケットコア(EPC)
112  モビリティ管理エンティティ(MME)
114  他のMME
116  サービングゲートウェイ
118  パケットデータネットワーク(PDN)ゲートウェイ
120  ホーム加入者サーバ(HSS)
122  インターネットプロトコル(IP)サービス
124  マルチメディアブロードキャストマルチキャストサービス(MBMS)ゲートウェイ
126  ブロードキャストマルチキャストサービスセンター(BM-SC)
128  マルチキャスト協調エンティティ(MCE)
200  アクセスネットワーク
202  セルラー領域(セル)
204  マクロeNB、eNB
206  UE
208  eNB
210  セルラー領域
R302  リソース要素
R304  リソース要素
410a、410b  リソースブロック
420a、420b  リソースブロック
430  物理ランダムアクセスチャネル(PRACH)
506  物理レイヤ
508  レイヤ2(L2レイヤ)
510  メディアアクセス制御(MAC)サブレイヤ
512  無線リンク制御(RLC)サブレイヤ
514  パケットデータコンバージェンスプロトコル(PDCP)サブレイヤ
516  無線リソース制御(RRC)サブレイヤ
610  eNB
616  送信(TX)プロセッサ
618  受信機、送信機
618RX  受信機
618TX  送信機
620  アンテナ
650  UE
652  アンテナ
654RX  受信機
654TX  送信機
656  受信(RX)プロセッサ
658  チャネル推定器
659  コントローラ/プロセッサ
660  メモリ
662  データシンク
667  データソース
668  TXプロセッサ
670  RXプロセッサ、受信プロセッサ
674  チャネル推定器
675  コントローラ/プロセッサ
676  メモリ
705、705-1、705-2、705-3  CBSD
710  CxM
902  装置
902'  装置
904  受信構成要素、構成要素
906  選択構成要素、構成要素
908  送信構成要素、構成要素
910  データ
912  データ
914  データ
916  データ
918  データ
950  CBSD
1002  処理システム
1004  バス
1006  プロセッサ
1008  コンピュータ可読媒体/メモリ
1010  トランシーバ
1012  アンテナ
【図１】
2020529769.tif 000003
【図２】
2020529769.tif 000004
【図３】
2020529769.tif 000005
【図４】
2020529769.tif 000006
【図５】
2020529769.tif 000007
【図６】
2020529769.tif 000008
【図７】
2020529769.tif 000009
【図８】
2020529769.tif 000010
【図９】
2020529769.tif 000011
【図１０】
2020529769.tif 000012
【国際調査報告】
2020529769.tif 000013
2020529769.tif 000014